(57)【特許請求の範囲】
【請求項１】
陳列物を収容する収容空間の背面を形成している背面パネルと、
前記背面パネルの背面側に形成された冷却空間に設けられ、冷却を行う冷却器と、
前記背面パネルから前方に突出し、陳列物を陳列するものであり、陳列物を冷却して陳列する冷却陳列棚と、前記冷却陳列棚の上方に設けられ、陳列物を冷却しないで陳列することができる選択式陳列棚と、を有する陳列棚と、
陳列物を冷却しないで陳列する前記選択式陳列棚のうちの最も下方に設けられた前記選択式陳列棚に配設され、該選択式陳列棚に陳列される陳列物と前記背面パネルとの熱交換を抑制する熱交換抑制手段と、を備え、
前記熱交換抑制手段は、前記背面パネルと対向する背面部と、前記背面部の両側から前方に突出した側面部と、を有する、
ショーケース。
【請求項２】
前記冷却器の上端が、高さ方向において、最も上方に設けられた前記冷却陳列棚と、最も下方に設けられた前記選択式陳列棚と、の間に位置している、
請求項１に記載のショーケース。
【請求項３】
前記冷却器の上端が、最も下方に設けられた前記選択式陳列棚よりも、最も上方に設けられた前記冷却陳列棚の近くに位置している、
請求項１又は請求項２に記載のショーケース。
【請求項４】
前記背面パネルは、最も下方に設けられた前記選択式陳列棚の下方に形成され、前記冷却空間と連通する吹出口を有し、
前記冷却空間において、前記吹出口よりも上方に設けられ、前記冷却空間の断面積を調整する断面積調整部材を更に備えた、
請求項１〜請求項３の何れか一項に記載のショーケース。
【請求項５】
前記選択式陳列棚に配設され、加熱を行う加熱器を更に有し、陳列物を冷却しないで陳列する前記選択式陳列棚の上方の温度が、当該ショーケースが設置されている部屋の温度よりも、１〜５度低くなるように、前記断面積調整部材または前記加熱器が調整されている、
請求項４に記載のショーケース。
【請求項６】
前記収容空間の照明を行う照明装置を更に備え、
前記照明装置は、冷却される陳列物と、冷却されない陳列物と、を識別する光を発する、
請求項１〜請求項５の何れか一項に記載のショーケース。
【請求項７】
前記選択式陳列棚は、前記背面パネルから前方に延びる支持部と、
前記支持部に取り付けられ、陳列物を載置する載置部と、を有し、
前記支持部と前記載置部との間に間隙が形成されている、
請求項１〜請求項６の何れか一項に記載のショーケース。
【請求項８】
前記載置部は、前方に向かいながら下方に傾斜している、
請求項７に記載のショーケース。
【発明の詳細な説明】
【技術分野】
【０００１】
この発明は、陳列物を冷却して陳列する冷却陳列棚と、冷却陳列棚の上方に設けられ、陳列物を冷却しないで陳列することができる選択式陳列棚と、を有するショーケースに関するものである。
【背景技術】
【０００２】
従来から、陳列物を冷却して陳列する冷却陳列棚を有するショーケースが知られている。
【先行技術文献】
【特許文献】
【０００３】
【特許文献１】特開２０１４−２５６６９号公報
【発明の概要】
【発明が解決しようとする課題】
【０００４】
近年、常温の商品等に関する需要がある。例えば常温の飲料について、薬を服用するときの需要、または健康促進のための需要等がある。【０００５】
この発明は、上記のような課題を鑑みてなされたものであり、陳列物を冷却して陳列する冷却陳列棚と、冷却陳列棚の上方に設けられ、陳列物を冷却しないで陳列することができる選択式陳列棚と、を有するショーケースを得ることを目的としている。
【課題を解決するための手段】
【０００６】
この発明に係るショーケースは、陳列物を収容する収容空間の背面を形成している背面パネルと、背面パネルの背面側に形成された冷却空間に設けられ、冷却を行う冷却器と、背面パネルから前方に突出し、陳列物を陳列するものであり、陳列物を冷却して陳列する冷却陳列棚と、冷却陳列棚の上方に設けられ、陳列物を冷却しないで陳列することができる選択式陳列棚と、を有する陳列棚と、陳列物を冷却しないで陳列する選択式陳列棚のうちの最も下方に設けられた選択式陳列棚に配設され、該選択式陳列棚に陳列される陳列物と背面パネルとの熱交換を抑制する熱交換抑制手段と、を備え、熱交換抑制手段は、背面パネルと対向する背面部と、背面部の両側から前方に突出した側面部と、を有する。
【発明の効果】
【０００７】
この発明によれば、陳列物を冷却して陳列する冷却陳列棚と、冷却陳列棚の上方に設けられ、陳列物を冷却しないで陳列することができる選択式陳列棚と、を有するショーケースを得ることができる。
【図面の簡単な説明】
【０００８】
【図１】この発明の実施の形態１に係るショーケースを斜めから見た図である。
【図２】図１に記載のショーケースの断面を模式的に記載した図である。
【図３】図１および図２に記載の選択式陳列棚に設けられる熱交換抑制手段を示す図である。
【図４】冷却棚または保温棚として機能する陳列棚に設けられる表示部材を示す図である。
【図５】常温棚として機能する選択式陳列棚に設けられる表示部材を示す図である。
【図６】図１および図２に記載のショーケースの動作モードＡを説明する図である。
【図７】図１および図２に記載のショーケースの動作モードＢを説明する図である。
【図８】図１および図２に記載のショーケースの動作モードＣを説明する図である。
【発明を実施するための形態】
【０００９】
以下、この発明に係るショーケースの一例の実施の形態について、添付図面を参照して説明する。なお、以下で説明する構成は、一例であり、この発明に係るショーケースは、そのような構成のみに限定されない。また、細かい構造については、適宜図示を簡略化又は省略している。また、重複又は類似する説明については、適宜簡略化又は省略している。
【００１０】
実施の形態１．
図１は、この発明の実施の形態１に係るショーケースを斜めから見た図であり、図２は、図１に記載のショーケースの断面を模式的に記載した図である。図１に記載のショーケース１は、飲料または食料等の陳列物を陳列するものである。ショーケース１は、冷やされた陳列物を陳列し、温められた陳列物を陳列し、または常温の陳列物を陳列することができる。
【００１１】
ショーケース１は、断熱材によって形成された箱形状のケース本体２を有している。ケース本体２は、その上部に、陳列物を収容する収容空間３を有している。ケース本体２の収容空間３の前面には、陳列物を出し入れするための開口５が形成されている。収容空間３の内部には、陳列棚６が上下方向に複数段設けられている。陳列棚６は、収容空間３の背面を形成している背面パネル８から前方に突出している。陳列棚６には、例えば、ペットボトル、缶、弁当等の陳列物が載置されて陳列される。陳列棚６には、陳列棚６の表示を行う、表示部材６４が設けられている。
【００１２】
図２に示すように、背面パネル８の背面側には、冷却空間１０が形成されている。冷却空間１０には、冷却器１３、送風機１４、および断面積調整部材２０等が設けられている。冷却器１３は、空気を冷却するものであり、例えば、冷凍サイクル装置の蒸発器を含んで形成されている。送風機１４は、吸込口１２から吸い込んだ空気を、吹出口１１から吹き出す空気流れを生成するものである。吸込口１２は、冷却空間１０の前面の下部に設けられている。吹出口１１は、ケース本体２の前面の上部に設けられた第１吹出口１１Ａと、背面パネル８の陳列棚６の下部に設けられた第２吹出口１１Ｂと、を有している。送風機１４が送風を行うことで、吸込口１２から吸い込まれた空気は、冷却器１３と熱交換されて上方に吹き上げられ、吹出口１１から吹き出される。ケース本体２の上部に形成された第１吹出口１１Ａから吹き出される空気の量が、背面パネル８の陳列棚６の下部に形成された第２吹出口１１Ｂから吹き出される空気の量よりも多くなるように、例えば、第１吹出口１１Ａは、第２吹出口１１Ｂよりも大きい開口を有している。上方の吹出口１１から吹き出される空気の量が、下方の吹出口１１から吹き出される空気の量よりも多くなる構成とすることで、エアカーテン的な機能性が向上するため、陳列物の保温性が向上し、陳列物に対する防塵性が向上する。
【００１３】
断面積調整部材２０は、冷却器１３の上方に設けられている。断面積調整部材２０は、冷却空間１０の断面積を調整することで、冷却器１３を通過した空気の流れを調整するものである。断面積調整部材２０は、選択式陳列棚６Ｂの高さ位置と対応する高さ位置に設けられている。断面積調整部材２０は、例えば、背面パネル８に取り付けられている。なお、断面積調整部材２０は、選択式陳列棚６Ｂに取り付けられていてもよい。断面積調整部材２０は、少なくとも、最も下方に設けられた選択式陳列棚６Ｂの下方に形成された吹出口１１の上方に設けられている。断面積調整部材２０は、選択式陳列棚６Ｂの下方に形成された吹出口１１のそれぞれの上方に設けられていてもよい。調整部材２５は、断面積調整部材２０が調整する冷却空間１０の断面積を調整するためのものであり、例えばつまみネジ等を含んで形成されている。例えば、調整部材２５であるつまみネジを回すことで、冷却空間１０の断面積を調整することができる。
【００１４】
図１および図２に示すように、収容空間３の下部には、機械室４が設けられている。機械室４には、冷凍サイクル装置の凝縮器４１、圧縮機（図示を省略）、膨張弁（図示を省略）等が設けられている。なお、冷凍サイクル装置は、圧縮機（図示を省略）、凝縮器４１、膨張弁（図示を省略）、冷却器１３を形成する蒸発器、が冷媒配管で接続され、冷媒が循環するものである。機械室４には、前面パネル２８が取り付けられている。前面パネル２８は、手前側に引くことで、取り外すことができるようになっている。前面パネル２８には、空気を吸入する吸気口４ａが形成されている。吸気口４ａから吸い込まれた空気は、凝縮器４１と熱交換して、機械室４から排出される。
【００１５】
陳列棚６は、背面パネル８から水平方向に沿って前方に延びる支持部７０と、支持部７０に取り付けられ、前方に向かいながら下方に傾斜する載置部７１と、を有している。支持部７０に取り付けられた載置部７１には、陳列物である商品等が載置される。載置部７１が商品等の取り出し側である前方に向かいながら、下方に傾斜しているため、商品等が商品等の取り出し側に集まりやすい構成となっている。したがって、この実施の形態の例のショーケース１は、商品等の取出しが容易となっている。支持部７０と載置部７１との間には、間隙７２が形成されている。間隙７２が、断熱を行う断熱部として機能するため、陳列棚６を挟んだ上方と下方とで温度を異ならせることが容易な構成となっている。
【００１６】
陳列棚６は、陳列物を冷却して陳列する冷却陳列棚６Ａと、冷却陳列棚６Ａの上方に設けられ、陳列物を冷却しないで陳列することができる選択式陳列棚６Ｂと、を有している。冷却陳列棚６Ａは、陳列物を冷却して陳列する冷却棚として機能するものである。選択式陳列棚６Ｂは、陳列物を冷却して陳列する冷却棚として機能し、または陳列物を冷却しないで陳列する常温棚として機能するものである。なお、陳列棚６のそれぞれには、加熱を行う加熱器６５が設けられており、冷却陳列棚６Ａおよび選択式陳列棚６Ｂは、陳列物を加熱または保温する保温棚として機能することもある。加熱器６５は、例えば、陳列棚６の内部に設けられているプレートヒータである。例えば、冷却棚として機能する陳列棚６は、陳列物を、０度〜１１度に管理して陳列し、常温棚として機能する陳列棚６は、陳列物を、ショーケース１が設置されている部屋等の温度よりも１〜５度以下となるように管理して陳列し、保温棚として機能する陳列棚６は、陳列物を、５０度〜６０度に管理して陳列する。
【００１７】
ケース本体２の上部には、収容空間３に光を照射する照明装置２２が設けられている。照明装置２２は、例えばＬＥＤ等を含んで形成されており、陳列棚６に陳列された商品等、または陳列棚６に光を照射することができる。照明装置２２は、冷却される陳列物と、冷却されない陳列物と、を識別する光を発することができる。照明装置２２が発した光によって、冷却される陳列物と冷却されない陳列物とが、例えば色で識別されることで、冷却されている商品等と冷却されていない商品等（常温またはＨＯＴの商品等）との識別性が向上する。なお、照明装置２２は、表示部材６４に光を照射することで、冷却される陳列物と冷却されない陳列物とを識別するものであってもよい。また、ケース本体２の上部の照明装置２２は、収容空間３の全体の照明を行うものであってもよい。冷却される陳列物と冷却されない陳列物とを識別する照明は、陳列棚６のそれぞれに設けられ、陳列棚６に陳列された陳列物、陳列棚６、または表示部材６４を照射するものであってもよい。また、冷却される陳列物と冷却されない陳列物とを識別する照明は、陳列棚６のそれぞれの上方に設けられ、陳列棚６のそれぞれを上方から照射するものであってもよい。
【００１８】
図２に示すように、冷却器１３の上端は、最も上方に設けられた冷却陳列棚６Ａと、最も下方に設けられた選択式陳列棚６Ｂと、の間に位置している。冷却器１３の上端が、高さ方向において、陳列物を冷却して陳列する冷却陳列棚６Ａよりも上方に位置しているため、冷却陳列棚６Ａに載置された陳列物が確実且つ効率的に冷却される。さらに、冷却器１３の上端が、高さ方向において、最も下方に設けられた選択式陳列棚６Ｂよりも下方に位置しているため、最も下方に設けられた選択式陳列棚６Ｂが常温棚として機能するときであっても、最も下方に設けられた選択式陳列棚６Ｂに載置された陳列物の冷却および結露が抑制され、最も下方に設けられた選択式陳列棚６Ｂの結露が抑制される。なお、冷却器１３の上端が、最も下方に設けられた選択式陳列棚６Ｂよりも、最も上方に設けられた冷却陳列棚６Ａの近くに位置するように構成されることで、上記の、陳列物の冷却および結露が抑制される効果、および選択式陳列棚６Ｂの結露が抑制される効果が向上する。
【００１９】
図３は、図１および図２に記載の選択式陳列棚に設けられる熱交換抑制手段を示す図である。熱交換抑制手段６０は、選択式陳列棚６Ｂに陳列される陳列物と背面パネル８との熱交換を抑制するものである。熱交換抑制手段６０は、例えば、背面パネル８と対向する背面部６１と、背面部６１の両側から突出した側面部６２と、を有しており、側方からの冷気の回り込み等も抑制することができる。熱交換抑制手段６０は、例えば、１３ｃｍ〜１４ｃｍ程度の高さを有しており、標準的なペットボトルの高さ方向の２分の３程度を覆って断熱することができるようになっている。熱交換抑制手段６０は、例えば、無色透明の樹脂材料で形成されており、ショーケース１の意匠性および商品等の視認性等が損なわれ難いようになっている。熱交換抑制手段６０は、例えば、選択式陳列棚６Ｂに載置されることで配設されるようになっており、熱交換抑制手段６０の着脱が容易な構成となっている。
【００２０】
熱交換抑制手段６０は、少なくとも、陳列物を冷却しないで陳列する選択式陳列棚６Ｂのうちの最も下方に設けられた選択式陳列棚６Ｂに配設されている。なお、熱交換抑制手段６０は、陳列物を冷却しないで陳列する選択式陳列棚６Ｂの２段以上に配設されていてもよい。陳列物を冷却しないで陳列する選択式陳列棚６Ｂに、熱交換抑制手段６０が配設されることで、陳列物の冷却および結露が抑制される効果、および選択式陳列棚６Ｂの結露が抑制される効果が向上する。
【００２１】
なお、熱交換抑制手段６０は、例えば背面パネル８に取り付けられた板状の断熱部材等であってもよい。また、熱交換抑制手段６０は、常温棚として機能する選択式陳列棚６Ｂの商品等を載置する載置面を覆うシート状の断熱部材を含んで形成されていてもよい。商品等を載置する載置面を覆うシート状の熱交換抑制手段は、例えば、熱交換抑制手段６０と一体的に形成されているが、熱交換抑制手段６０とは別体の部材であってもよい。
【００２２】
図４は、冷却棚または保温棚として機能する陳列棚に設けられる表示部材を示す図であり、図５は、常温棚として機能する選択式陳列棚に設けられる表示部材を示す図である。図１および図２に示すように、図４および図５に記載の表示部材６４は、陳列棚６の前方において、表示等を行うものである。表示部材６４は、例えば、陳列棚６に陳列される商品等の温度状態と対応する、『ＨＯＴ』、『ＭＩＤ』、『ＮＯＲＭＡＬ』、『ＣＯＬＤ』、『高温』、『常温』、『低温』、『あたたか〜い』、『つめた〜い』等の表示を行う。なお、表示部材６４は、陳列棚６に陳列する商品等の名称等を表示するものであってもよい。
【００２３】
図４に示すように、表示部材６４は、取付部６４Ａと表示部６４Ｂとを有している。取付部６４Ａは、下方に先端を有する曲げ形状を有しており、例えば取付部６４Ａが陳列棚６の前方に形成された引っ掛け部に引っ掛かけられることで、表示部材６４が陳列棚６に取り付けられる。表示部６４Ｂは、上方に先端を有する曲げ形状を有しており、表示を行うプレート等を挟み込むようになっている。例えば、表示を行うプレートは、色、文字等の記号によって陳列棚６の属性等を表示する薄板形状の部材である。
【００２４】
図４に示すように、冷却棚または保温棚として機能する陳列棚６には、１つの表示部材６４が取り付けられる。図５に示すように、常温棚として機能する陳列棚６には、連結された２つの表示部材６４が取り付けられる。連結された表示部材６４は、１つの表示部材６４の表示部６４Ｂに、もう一つの表示部材６４の取付部６４Ａを挟み込ませることで形成される。連結された２つの表示部材６４を有する構成とすることで、前方の表示部材６４に、陳列棚６からの熱が伝わりにくくなる。したがって、室内の湿った空気が、前方の表示部材６４と触れることによって、前方の表示部材６４が結露するおそれが抑制される。
【００２５】
次に、この実施の形態に係るショーケース１の動作の一例を説明する。図６は、図１および図２に記載のショーケースの動作モードＡを説明する図であり、図７は、図１および図２に記載のショーケースの動作モードＢを説明する図であり、図８は、図１および図２に記載のショーケースの動作モードＣを説明する図である。
【００２６】
図６に示す動作モードＡは、この実施の形態に係るショーケース１のオールコールド運転動作に関するものであり、全ての陳列棚６である全ての選択式陳列棚６Ｂおよび冷却陳列棚６Ａが、陳列物を冷却して陳列する冷却棚として機能している。ショーケース１のオールコールド運転動作のときは、例えば、全ての断面積調整部材２０は、常温棚を設けるように調整されたときと比較して、冷却空間１０の断面積が大きくなるように調整されている。オールコールド運転動作のときは、冷却器１３で冷却された空気が、全ての吹出口１１から吹き出されるため、全ての陳列棚６に陳列された陳列物が冷却される。なお、例えば、オールコールド運転動作のときは、全ての断面積調整部材２０が、全開または全開に近い状態となっている。
【００２７】
図７に示す動作モードＢは、この実施の形態に係るショーケース１の２常温・２コールド運転動作に関するものであり、上側の２つの選択式陳列棚６Ｂが、陳列物を常温で陳列する常温棚として機能し、下側の１つの選択式陳列棚６Ｂおよび冷却陳列棚６Ａが、陳列物を冷却して陳列する冷却棚として機能している。ショーケース１の２常温・２コールド運転動作のときは、少なくとも、常温棚として機能する選択式陳列棚６Ｂのうちの最も下方の選択式陳列棚６Ｂの高さ位置に対応して設けられた断面積調整部材２０は、当該選択式陳列棚６Ｂが冷却棚として機能するときと比較して、冷却空間１０の断面積が小さくなるように調整されている。冷却器１３で冷却された空気は、冷却空間１０の断面積を小さく調整している断面積調整部材２０の上方に流れにくくなっており、冷却空間１０の断面積を小さく調整している断面積調整部材２０の下方に設けられている第２吹出口１１Ｂから主に吹き出される。図７に示す例では、下側の２つの第２吹出口１１Ｂから、冷却器１３で冷却された空気が吹き出され、下側の１つの選択式陳列棚６Ｂおよび冷却陳列棚６Ａに陳列された陳列物が冷却される。そして、上側の２つの選択式陳列棚６Ｂに陳列された陳列物は、常温に保たれる。なお、例えば、２常温・２コールド運転動作のときは、少なくとも、常温棚として機能する選択式陳列棚６Ｂのうちの最も下方の選択式陳列棚６Ｂの高さ位置に対応して設けられた断面積調整部材２０が、全閉または全閉に近い状態となっている。
【００２８】
図８に示す動作モードＣは、この実施の形態に係るショーケース１の１常温・３コールド運転動作に関するものであり、上側の１つの選択式陳列棚６Ｂが、陳列物を常温で陳列する常温棚として機能し、下側の２つの選択式陳列棚６Ｂおよび冷却陳列棚６Ａが、陳列物を冷却して陳列する冷却棚として機能している。ショーケース１の１常温・３コールド運転動作のときは、常温棚として機能する選択式陳列棚６Ｂの高さ位置に対応して設けられた断面積調整部材２０は、当該選択式陳列棚６Ｂが冷却棚として機能するときと比較して、冷却空間１０の断面積が小さくなるように調整されている。冷却器１３で冷却された空気は、冷却空間１０の断面積を小さく調整している断面積調整部材２０の上方に流れにくくなっており、冷却空間１０の断面積を小さく調整している断面積調整部材２０の下方に設けられている第２吹出口１１Ｂから主に吹き出される。図８に示す例では、冷却空間１０の断面積を小さく調整している断面積調整部材２０の下側の３つの第２吹出口１１Ｂから、冷却器１３で冷却された空気が吹き出され、下側の２つの選択式陳列棚６Ｂおよび冷却陳列棚６Ａに陳列された陳列物が冷却される。そして、上側の１つの選択式陳列棚６Ｂに陳列された陳列物は、常温に保たれる。なお、例えば、１常温・３コールド運転動作のときは、少なくとも、常温棚として機能する選択式陳列棚６Ｂのうちの最も下方の選択式陳列棚６Ｂの高さ位置に対応して設けられた断面積調整部材２０は、全閉または全閉に近い状態となっている。
【００２９】
上記で説明した、図７に示す動作モードＢおよび図８に示す動作モードＣのように、冷却棚と常温棚とが並存する動作モードのときは、冷却器１３の冷却能力を低下させ、または送風機１４の風量を低下させるとよい。冷却器１３の冷却能力を低下させ、または送風機１４の風量を低下させることで、低消費電力化、静音化が実現される。なお、冷却器１３の冷却能力を低下させ、且つ送風機１４の風量を低下させることで、低消費電力化、静音化の効果が向上する。
【００３０】
また、上記で説明した常温棚として機能する選択式陳列棚６Ｂは、ショーケース１が設置されている周囲空間の温度よりも、１〜５度低い温度で、陳列物を陳列することが好ましい。例えば、断面積調整部材２０が冷却器１３で冷却された空気の流れを調整し、または加熱器６５が加熱を行うことで、常温棚として機能する選択式陳列棚６Ｂに陳列される陳列物の温度を、ショーケース１が設置されている周囲空間の温度よりも、１〜５度低い温度とすることができる。
【００３１】
上記のように、この実施の形態の例に係るショーケース１は、陳列物を収容する収容空間３の背面を形成している背面パネル８と、背面パネル８から前方に突出し、陳列物を陳列する陳列棚６と、背面パネル８の背面側に形成された冷却空間１０に設けられ、冷却を行う冷却器１３と、を備え、陳列棚６は、陳列物を冷却して陳列する冷却陳列棚６Ａと、冷却陳列棚６Ａの上方に設けられ、陳列物を冷却しないで陳列することができる選択式陳列棚６Ｂと、を有し、冷却器１３の上端が、高さ方向において、最も上方に設けられた冷却陳列棚６Ａと、最も下方に設けられた選択式陳列棚６Ｂと、の間に位置しているものである。この実施の形態の例によれば、陳列物を冷却して陳列する冷却陳列棚６Ａと、冷却陳列棚６Ａの上方に設けられ、陳列物を冷却しないで陳列することができる選択式陳列棚６Ｂと、を有するショーケース１を得ることができる。また、この実施の形態の例のショーケース１によれば、冷却器１３の上端が、高さ方向において、最も上方に設けられた冷却陳列棚６Ａよりも上方に位置しているため、冷却陳列棚６Ａに載置された陳列物が確実且つ効率的に冷却される。さらに、この実施の形態の例のショーケース１によれば、冷却器１３の上端が、高さ方向において、最も下方に設けられた選択式陳列棚６Ｂよりも下方に位置しているため、最も下方に設けられた選択式陳列棚６Ｂが常温棚として機能するときに、最も下方に設けられた選択式陳列棚６Ｂに載置された陳列物の冷却および結露が抑制され、最も下方に設けられた選択式陳列棚６Ｂの結露が抑制される。
【００３２】
例えば、冷却器１３の上端が、最も下方に設けられた選択式陳列棚６Ｂよりも、最も上方に設けられた冷却陳列棚６Ａの近くに位置するように構成されることで、最も下方に設けられた選択式陳列棚６Ｂが常温棚として機能するときに、最も下方に設けられた選択式陳列棚６Ｂに載置された陳列物の冷却および結露が抑制される効果、および最も下方に設けられた選択式陳列棚６Ｂの結露が抑制される効果が更に向上する。
【００３３】
また、例えば、この実施の形態の例に係るショーケース１は、陳列物を冷却しないで陳列する常温棚として機能している選択式陳列棚６Ｂのうちの最も下方に設けられた選択式陳列棚６Ｂに配設され、該選択式陳列棚６Ｂに陳列される陳列物と背面パネル８との熱交換を抑制する熱交換抑制手段６０を備えている。熱交換抑制手段６０が、陳列物と背面パネル８との熱交換を抑制するため、常温棚として機能している選択式陳列棚６Ｂに載置された陳列物の冷却および結露が抑制される。また、熱交換抑制手段６０が断熱材的に機能するため、常温棚として機能している選択式陳列棚６Ｂの結露が抑制される。
【００３４】
例えば、熱交換抑制手段６０は、背面パネル８と対向する背面部６１と、背面部６１の両側から前方に突出した側面部６２と、を有しており、側方からの冷気の回り込み等も抑制される。その結果、常温棚として機能している選択式陳列棚６Ｂに載置された陳列物の冷却および結露が更に抑制され、常温棚として機能している選択式陳列棚６Ｂの結露が更に抑制される。
【００３５】
例えば、背面パネル８は、最も下方に設けられた選択式陳列棚６Ｂの下方に形成され、冷却空間１０と連通する吹出口１１を有している。そして、この実施の形態の例に係るショーケース１は、冷却空間１０において、吹出口１１よりも上方に設けられ、冷却空間１０の断面積を調整する断面積調整部材２０を更に備えている。断面積調整部材２０によって冷却空間１０の断面積を調整するのみで、吹出口１１よりも上方に設けられた選択式陳列棚６Ｂを、冷却棚または常温棚として選択的に機能させることができる。さらに、断面積調整部材２０によって冷却空間１０の断面積を調整するのみで、吹出口１１よりも上方に設けられた常温棚として機能する選択式陳列棚６Ｂに陳列される陳列物の温度を調整することができる。例えば、陳列物を冷却しないで陳列する選択式陳列棚６Ｂの上方の温度が、ショーケース１が設置されている部屋の温度よりも、１〜５度低くなるように、断面積調整部材２０が調整されることで、陳列物が適温で陳列される。
【００３６】
また、例えば、この実施の形態の例に係るショーケース１は、選択式陳列棚６Ｂに配設され、加熱を行う加熱器６５を更に有している。加熱器６５が加熱を行うことで、陳列物の温度を正確な温度に管理して陳列することができる。例えば、陳列物を冷却しないで陳列している選択式陳列棚６Ｂの上方の温度が、ショーケース１が設置されている部屋の温度よりも、１〜５度低くなるように、断面積調整部材２０または加熱器６５が調整されるとよい。
【００３７】
また、例えば、この実施の形態に係るショーケース１は、収容空間３の照明を行う照明装置２２を更に備えており、照明装置２２が、冷却される陳列物と、冷却されない陳列物と、を識別する光を発する。照明装置２２が発した光によって、冷却される陳列物と、冷却されない陳列物と、が識別されることで、冷却されている商品等と冷却されていない商品等（常温またはＨＯＴの商品等）との識別性が向上される。
【００３８】
例えば、選択式陳列棚６Ｂは、背面パネル８から前方に延びる支持部７０と、支持部７０に取り付けられ、陳列物を載置する載置部７１と、を有しており、支持部７０と載置部７１との間に間隙７２が形成されている。間隙７２が、断熱を行う断熱部的に機能するため、例えば、選択式陳列棚６Ｂを挟んだ上下に陳列される陳列物の温度帯を異ならせることが容易となる。さらに、選択式陳列棚６Ｂを挟んで、上方が常温棚として機能し、下方が冷却棚として機能しているときに、常温棚として機能する選択式陳列棚６Ｂに陳列される陳列物の冷却および結露が抑制され、且つ常温棚として機能する選択式陳列棚６Ｂの結露が抑制される。
【００３９】
例えば、載置部７１は、前方に向かいながら下方に傾斜している。載置部７１が商品等の取り出し側である前方に向かいながら、下方に傾斜しているため、商品等が商品等の取り出し側に集まりやすい構成となっている。したがって、この実施の形態の例に係るショーケース１は、商品等の取出しが容易な構成となっている。
【００４０】
また、この実施の形態に係るショーケース１は、陳列物を収容する収容空間３の背面を形成している背面パネル８と、背面パネル８から前方に突出し、陳列物を陳列する陳列棚６と、背面パネル８の背面側に形成された冷却空間１０に設けられ、冷却を行う冷却器１３と、を備え、陳列棚６は、陳列物を冷却して陳列する冷却陳列棚６Ａと、冷却陳列棚６Ａの上方に設けられ、陳列物を冷却しないで陳列することができる選択式陳列棚６Ｂと、を有し、陳列物を冷却しないで陳列する選択式陳列棚６Ｂのうちの最も下方に設けられた選択式陳列棚６Ｂに配設され、該選択式陳列棚６Ｂに陳列される陳列物と背面パネル８との熱交換を抑制する熱交換抑制手段６０を有するものである。この実施の形態に係るショーケース１では、熱交換抑制手段６０が、陳列物と背面パネル８との熱交換を抑制するため、常温棚に載置された陳列物の冷却および結露が抑制される。また、熱交換抑制手段６０が断熱材的に機能するため、冷気による選択式陳列棚６Ｂの結露が抑制される。
【００４１】
この発明は、上記の実施の形態に限定されるものではなく、この発明の範囲内で種々に改変することができる。すなわち、上記の実施の形態の構成を適宜改良してもよく、また、少なくとも一部を他の構成に代替させてもよい。さらに、その配置について特に限定のない構成要件は、実施の形態で開示した配置に限らず、その機能を達成できる位置に配置することができる。
【符号の説明】
【００４２】
１  ショーケース、２  ケース本体、３  収容空間、４  機械室、４ａ  吸気口、５  開口、６  陳列棚、６Ａ  冷却陳列棚、６Ｂ  選択式陳列棚、８  背面パネル、１０  冷却空間、１１  吹出口、１１Ａ  第１吹出口、１１Ｂ  第２吹出口、１２  吸込口、１３  冷却器、１４  送風機、２０  断面積調整部材、２２  照明装置、２５  調整部材、２８  前面パネル、４１  凝縮器、６０  熱交換抑制手段、６１  背面部、６２  側面部、６４  表示部材、６４Ａ  取付部、６４Ｂ  表示部、６５  加熱器、７０  支持部、７１  載置部、７２  間隙。
【図１】
0006735855.tif 000002
【図２】
0006735855.tif 000003
【図３】
0006735855.tif 000004
【図４】
0006735855.tif 000005
【図５】
0006735855.tif 000006
【図６】
0006735855.tif 000007
【図７】
0006735855.tif 000008
【図８】
0006735855.tif 000009